(57)【要約】【課題】プラズマディスプレイパネル表示装置における不要輻射を十分に低減させる。【解決手段】２つの電極を有するプラズマディスプレイパネル（ＰＤＰ）１と、導電部材２ａ、２ｂ、２ｃと、各電極に電圧を印加する２つの駆動回路とを備え、導電部材２ａ、２ｂ、２ｃが、ＰＤＰ１と略同一の幅および高さを有し、かつＰＤＰ１の背面上に当該背面側からこの順に配置され、駆動放電時にＰＤＰ１に流れる電流の方向が、導電部材２ｃに流れる電流の方向と一致し、かつ導電部材２ａ流れる電流の方向および２ｂに流れる電流の方向と逆方向になるように、ＰＤＰ１および導電部材２ａ、２ｂ、２ｃが、それぞれの一方および他方の端部近傍において、直接または駆動回路３、４を介して電気的に接続された、表示装置２００とする。【選択図】図１
2009139461.tif 000002
【特許請求の範囲】
【請求項１】
第１の電極および第２の電極を有するプラズマディスプレイパネルと、前記第１の電極に電圧を印加する第１の駆動回路と、前記第２の電極に電圧を印加する第２の駆動回路と、第１の導電部材と、第２の導電部材と、第３の導電部材と、を有するプラズマディスプレイパネル装置であって、
前記第１の導電部材、前記第２の導電部材および前記第３の導電部材が、前記プラズマディスプレイパネルと略同一の幅および高さを有し、かつ前記プラズマディスプレイパネルの背面上に当該背面側からこの順に配置され、
前記プラズマディスプレイパネルの駆動放電時に、前記プラズマディスプレイパネルに流れる電流の方向が、前記第３の導電部材に流れる電流の方向と一致し、かつ前記第１の導電部材に流れる電流の方向および第２の導電部材に流れる電流の方向と逆方向になるように、
前記プラズマディスプレイパネルの一方の端部近傍および前記第２の導電部材の一方の端部近傍が前記第１の駆動回路を介して電気的に接続され、
前記第１の導電部材の一方の端部近傍および前記第３の導電部材の一方の端部近傍が電気的に接続され、
前記プラズマディスプレイパネルの他方の端部近傍および前記第１の導電部材の他方の端部近傍が前記第２の駆動回路を介して電気的に接続され、
前記第２の導電部材の他方の端部近傍および前記第３の導電部材の他方の端部近傍が電気的に接続された、
プラズマディスプレイパネル表示装置。
【請求項２】
前記プラズマディスプレイパネルと前記第１の導電部材との間隔と、前記第２の導電部材と前記第３の導電部材との間隔とが、略同一である、請求項１に記載のプラズマディスプレイパネル表示装置。
【請求項３】
前記プラズマディスプレイパネルと前記第１の導電部材との間に第１の絶縁層が配置され、前記第１の導電部材と前記第２の導電部材との間に第２の絶縁層が配置され、前記第２の導電部材と前記第３の導電部材との間に第３の絶縁層が配置され、前記第１の絶縁層および前記第３の絶縁層の厚さが略同一である、請求項２に記載のプラズマディスプレイパネル表示装置。
【請求項４】
前記プラズマディスプレイパネルと前記第１の導電部材との間に第１の絶縁層が配置され、前記第１の導電部材と前記第２の導電部材との間に第２の絶縁層が配置され、前記第２の導電部材と前記第３の導電部材との間に第３の絶縁層が配置された、請求項１に記載のプラズマディスプレイパネル表示装置。
【請求項５】
前記第１の駆動回路が、前記第３の導電部材の背面上であって前記第３の導電部材の前記一方の端部近傍に配置され、前記第２の駆動回路が、前記第３の導電部材の背面上であって前記第３の導電部材の前記他方の端部近傍に配置され、
前記プラズマディスプレイパネル表示装置が、さらに、導電体Ａ、導電体Ｂ、導電体Ｃおよび導電体Ｄを有し、
前記第２の導電部材が、前記一方の端部近傍に形成された貫通孔Ａ１と、前記他方の端部近傍に形成された貫通孔Ａ２とを有し、前記第３の導電部材が、前記一方の端部近傍に形成された貫通孔Ｂ１と、前記他方の端部近傍に形成され前記貫通孔Ａ２に連通する貫通孔Ｂ２とを有し、
前記導電体Ａが、前記貫通孔Ａ１内に配置されて、前記第１の導電部材の前記一方の端部近傍および前記第３の導電部材の前記一方の端部近傍を電気的に接続し、前記導電体Ｂが、前記貫通孔Ｂ１内に配置されて、前記第２の導電部材の前記一方の端部近傍および前記第１の駆動回路を電気的に接続し、前記導電体Ｃが、前記貫通孔Ａ２およびＢ２内に配置されて、前記第１の導電部材の前記他方の端部近傍および前記第２の駆動回路を電気的に接続し、前記導電体Ｄが、前記第２の導電部材の背面上に配置されて、前記第２の導電部材の前記他方の端部近傍および前記第３の導電部材の前記他方の端部近傍を電気的に接続した、請求項１に記載のプラズマディスプレイパネル表示装置。
【発明の詳細な説明】
【技術分野】
【０００１】
本発明は、プラズマディスプレイパネル表示装置に関し、特に、プラズマディスプレイパネルの駆動放電時に発生する不要輻射を低減できるプラズマディスプレイパネル表示装置に関する。
【背景技術】
【０００２】
近年、大画面、薄型のメリットを背景にプラズマディスプレイパネル表示装置が広く利用されている。
【０００３】
図２および図４を参照しながら、従来のプラズマディスプレイパネル表示装置の構造および画像表示動作を説明する。図４は、従来のプラズマディスプレイパネル表示装置１００の概略構造を示す横断面図である。図４に示すように、表示装置１００は、映像を表示するプラズマディスプレイパネル（前面パネル）１を有する。図２は、プラズマディスプレイパネル１における放電電極の配置を説明するための図である。この図では、簡易的に、表示ラインおよびドット数が５の場合を示している。
【０００４】
図２に示すように、プラズマディスプレイパネル１内には、プラズマディスプレイパネルの幅方向（図２において横方向）に伸長する維持放電電極（以下、「Ｘ電極」と称する）８および維持・走査放電電極（以下、「Ｙ電極」と称する）９が表示ライン数に対応した本数でプラズマディスプレイパネルの高さ方向（図２において縦方向）に並ぶように配置されており、Ｙ電極９との間で走査放電を行うアドレス電極１０が、Ｙ電極９と直交するように表示ドット数に対応した本数で配置されている。Ｘ電極８およびＹ電極９とアドレス電極１０とが交差する位置には、放電セルが形成されている。
【０００５】
図４に示すように、表示装置１００は、さらに、プラズマディスプレイパネル１の背面側（図４において下側）に配置されたアルミシャーシ２と、Ｘ電極８に駆動パルス波形を印加するＸ電極駆動回路が形成された基板３と、Ｙ電極９に駆動パルス波形を印加するＹ電極駆動回路が形成された基板４と、Ｘ電極駆動回路とＸ電極８とを接続するフレキシブル配線基板５と、Ｙ電極駆動回路とＹ電極９とを接続するフレキシブル配線基板６と、を有する。
【０００６】
なお、表示装置１００では、Ｘ電極駆動回路におけるグラウンドとアルミシャーシ２の一方の端部（図４において左側の端部）とが電気的に接続され、Ｙ電極駆動回路におけるグラウンドとアルミシャーシ２の他方の端部（図４において右側の端部）とが電気的に接続されている。
【０００７】
表示装置１００の駆動方法としては、階調表示を放電回数で制御するサブフィールド駆動方式が一般的である。各サブフィールドは、リセット期間、アドレス期間および維持放電期間から構成されている。
【０００８】
各期間における表示装置の動作を説明する。リセット期間では、Ｘ電極８とＹ電極９との間にリセットパルス電圧を印加して全画素で放電させ、直前のサブフィールドでの壁電荷を消去する。アドレス期間では、各Ｙ電極９に順次に走査パルスを印加し、同時に映像表示内容に対応する画素のアドレス電極１０にアドレスパルス電圧を印加することにより、Ｙ電極９とアドレス電極１０との間にアドレス放電を発生させて、壁電荷を蓄積させる。維持放電期間では、Ｘ電極８とＹ電極９との間に維持放電パルス電圧を印加し、アドレス期間に壁電荷を蓄積した画素内において維持放電を発生させる。
【０００９】
維持放電により真空紫外線が画素内に発生する。真空紫外線が画素内に配置された蛍光体に照射されることにより可視光が発生し、その画素が点灯する。維持放電期間では、数百Ｖ、数百ｋＨｚの駆動電圧をＸ電極８およびＹ電極９に交互に印加し、両電極間の画素内で放電を発生させる。これにより、維持放電期間中に前面パネルにおいてインパルス的に大電流が流れる。
【００１０】
例えばＸ電極８に駆動電圧を印加すると、Ｘ電極駆動回路の駆動部、Ｘ電極８、画素内の雰囲気、Ｙ電極９、Ｙ電極駆動回路のグラウンド、アルミシャーシ２およびＸ電極駆動回路のグラウンドによって形成されるループ経路上に大電流が流れる。こうしてループ状に流れる大電流は、大きな磁界を発生させることから、表示装置において不要輻射が発生する大きな原因となっている。
【００１１】
特許文献１には、不要輻射を低減するプラズマディスプレイ装置が開示されている。特許文献１には、この装置の一態様（第１の装置）として、放電を行う電極を有するプラズマディスプレイパネルと、プラズマディスプレイパネルに電圧を印加する複数の駆動回路と、プラズマディスプレイパネルと駆動回路とを接続する第１の配線と、プラズマディスプレイパネルから見て駆動回路の後方にて第１のループを形成し、複数の駆動回路間を接続する第２の配線とを備えており、第１のループを流れる電流により生じる磁界の向きが、駆動回路とプラズマディスプレイパネルとで形成される第２のループから生じる磁界向きとは逆方向になる状態にある装置が開示されている（請求項１）。この装置４００では、図６に示すように、駆動回路４０２、４０３の間の接続のために、これらの駆動回路の接続に適したサイズを有するコネクタケーブル４０４を使用することになる。このコネクタケーブル４０４の幅は、図６に示すように、プラズマディスプレイパネル４０１の高さ（図６における上下方向の長さ）に比べてかなり小さい。
【００１２】
特許文献１には、上記装置の別の態様（第２の装置）として、放電を行う電極を有するプラズマディスプレイパネルと、プラズマディスプレイパネルの後方に配置されるシャーシと、プラズマディスプレイパネルの前面に配置される導電部材と、プラズマディスプレイパネルに電圧を印加する複数の駆動回路とを備えており、駆動回路により印加される電圧により、プラズマディスプレイパネルと導電部材に流れる電流により生じる磁界の向きと、駆動電圧により印加される電圧により、プラズマディスプレイパネルとシャーシに流れる電流により生じる磁界の向きとが逆方向になる状態にある装置も開示されている（請求項４）。この装置５００では、駆動回路５０２、５０３からプラズマディスプレイパネル５０１に電圧を印加することによって当該パネル５０１を駆動させると、図７に示すように、パネル５０１に流れる電流が、パネル５０１の前面に配置された導電部材５０４と、パネル５０１の後方に配置されたシャーシ５０５とに、分岐して流れることになる。
【００１３】
特許文献１には、上記装置のさらに別の態様（第３の装置）として、放電を行う電極を有するプラズマディスプレイパネルと、プラズマディスプレイパネルの電極に電圧を印加する複数の駆動回路と、プラズマディスプレイパネルと駆動回路との間に配置されたシャーシと、駆動回路と対に設けられた金属板とを備えており、プラズマディスプレイパネルおよびシャーシを流れる電流により生じる磁界の向きが、駆動回路と金属板を流れる電流により生じる磁界向きとは逆方向になる状態にある装置も開示されている（請求項６）。この装置６００では、図８に示すように、駆動回路６０２および金属板６０４がプラズマディスプレイパネル６０１の背面上であって当該パネルの一方の端部側（図８において左端部側）に偏った状態で、駆動回路６０３および金属板６０５がパネル６０１の背面上であって当該パネルの他方の端部側（図８において右端部側）に偏った状態で、それぞれ配置されている。この装置では、パネル６０１とシャーシ６０６との間に生じる磁界をキャンセルするための磁界が、パネル６０１の一方および他方の端部近傍のみで発生することになる。
【特許文献１】特開２００５−２２１７９７号公報
【発明の開示】
【発明が解決しようとする課題】
【００１４】
特許文献１に開示されている装置は磁界成分の相殺により不要輻射を低減するものである。しかし、この装置では、不要輻射を十分に低減することが難しい。
【００１５】
第１の装置では、図６に示すように、コネクタケーブルが、プラズマディスプレイパネルに比べてかなり小さな高さを有しているために、第１のループから生じる磁束と、第２のループから生じる磁束とにおける、それぞれの基点および終点の高さ（図６における上下方向の位置）が異なるために、装置内に発生する磁界成分の相殺効果が十分に得られない。
【００１６】
第２の装置では、プラズマディスプレイパネルから電流を分岐させることによって、第１の電流ループおよび第２の電流ループを形成するために、これら電流ループを流れる電流量を同一とすることが困難である。このため、やはり、装置内に発生する磁界成分の相殺効果を十分には得られない。
【００１７】
第３の装置では、図８に示すように、駆動回路６０２および金属板６０４と、駆動回路６０３および金属板６０５とが、パネル６０１の左端部側および右端部側にそれぞれ偏った状態で配置されるために、パネル６０１とシャーシ６０６との間から生じる磁界は、幅方向中央部において十分に相殺されない。
【課題を解決するための手段】
【００１８】
本発明は、第１の電極および第２の電極を有するプラズマディスプレイパネルと、前記第１の電極に電圧を印加する第１の駆動回路と、前記第２の電極に電圧を印加する第２の駆動回路と、第１の導電部材と、第２の導電部材と、第３の導電部材と、を有するプラズマディスプレイパネル装置であって、前記第１の導電部材、前記第２の導電部材および前記第３の導電部材が、前記プラズマディスプレイパネルと略同一の幅および高さを有し、かつ前記プラズマディスプレイパネルの背面上に当該背面側からこの順に配置され、前記プラズマディスプレイパネルの駆動放電時に、前記プラズマディスプレイパネルに流れる電流の方向が、前記第３の導電部材に流れる電流の方向と一致し、かつ前記第１の導電部材に流れる電流の方向および第２の導電部材に流れる電流の方向と逆方向になるように、前記プラズマディスプレイパネルの一方の端部近傍および前記第２の導電部材の一方の端部近傍が前記第１の駆動回路を介して電気的に接続され、前記第１の導電部材の一方の端部近傍および前記第３の導電部材の一方の端部近傍が電気的に接続され、前記プラズマディスプレイパネルの他方の端部近傍および前記第１の導電部材の他方の端部近傍が前記第２の駆動回路を介して電気的に接続され、前記第２の導電部材の他方の端部近傍および前記第３の導電部材の他方の端部近傍が電気的に接続された、プラズマディスプレイパネル表示装置を提供する。
【発明の効果】
【００１９】
本発明では、プラズマディスプレイパネルと第１の導電部材との間で発生する磁界成分が第２の導電部材と第３の導電部材との間で発生する磁界成分により相殺されるようにこれらの部材を配置し、かつこれらの部材の幅および高さを略同一にすると共に各部材の接続を端部近傍で行うこととした。したがって、本発明によれば、プラズマディスプレイパネル表示装置における不要輻射を十分に低減できる。
【発明を実施するための最良の形態】
【００２０】
図１および図５を参照しながら、本発明によるプラズマディスプレイパネル表示装置の実施形態の一例（実施の形態１）を説明する。
【００２１】
図５は、本発明によるプラズマディスプレイパネル表示装置の一例の斜視図である。図１は、図５に示す表示装置の横断面図である。
【００２２】
図１に示すように、表示装置２００は、映像を表示するプラズマディスプレイパネル（前面パネル）１と、第１の導電部材２ａと、第２の導電部材２ｂと、第３の導電部材２ｃと、Ｘ電極駆動回路が形成された基板３と、Ｙ電極駆動回路が形成された基板４と、フレキシブル配線基板５、６と、導電体（接続部材）７ａ、７ｂ、７ｃ、７ｄと、絶縁層２０、２１、２２、２３、２４と、を有している。第１〜第３の導電部材２ａ、２ｂ、２ｃは、アルミシャーシである。
【００２３】
前面パネル１としては、公知のプラズマディスプレイパネルを使用できる。前面パネル１における放電電極の配置は、図２に示す配置と同様である。前面パネル１におけるその他の構造についても説明を省略する。
【００２４】
第１〜第３の導電部材２ａ、２ｂ、２ｃは、前面パネル１の背面上に当該背面側からこの順に配置されている。前面パネル１の「背面」および「背面側」とは、前面パネル１において映像が表示される側の主面と反対側の主面（図１において下側の主面）および当該反対側を意味する。
【００２５】
第１〜第３の導電部材２ａ、２ｂ、２ｃは、前面パネル１と略同一の幅および高さを有している。本明細書において、前面パネルおよび導電部材の「幅」とは、前面パネルおよび導電部材における長手方向（図５における左右方向）の長さを意味し、前面パネルおよび導電部材の「高さ」とは、前面パネルおよび導電部材における短手方向（図５における上下方向）の長さを意味する。また、導電部材が前面パネルと「略同一の幅」を有するとは、前面パネルの幅に対する導電部材の幅の割合が、９０〜１１０％、好ましくは９５〜１０５％の範囲にあることを意味し、「略同一の高さ」を有するとは、前面パネルの高さに対する導電部材の高さの割合が、９０〜１１０％、好ましくは９５〜１０５％の範囲にあることを意味する。
【００２６】
前面パネル１および導電部材２ａ、２ｂ、２ｃにおけるそれぞれの間には、公知の絶縁物によって構成された絶縁層２０、２１、２２が配置されている。すなわち、プラズマディスプレイパネル１と第１の導電部材２ａとの間に第１の絶縁層２０が配置され、第１の導電部材２ａと第２の導電部材２ｂとの間に第２の絶縁層２１が配置され、第２の導電部材２ｂと第３の導電部材２ｃとの間に第３の絶縁層２２が配置されている。導電部材２ａ、２ｂ、２ｃは、図１に示すように、それぞれの主面が絶縁層２１、２２を介して互いに対向し、第１の導電部材２ａの主面は絶縁層２０を介して前面パネル１の主面に対向している。
【００２７】
不要輻射をより確実に低減させる観点からは、前面パネル１と第１の導電部材２ａとの間隔と、第２の導電部材２ｂと第３の導電部材２ｃとの間隔とを、略同一にすることが好ましい。前面パネル１の駆動放電時において、前面パネル１と第１の導電部材２ａとの間に発生する磁界の強さと、第２の導電部材２ｂと第３の導電部材２ｃとの間に発生する磁界の強さとを一致させることが容易になるためである。これらの間隔が「略同一」であるとは、プラズマディスプレイパネルと第１の導電部材との間隔に対する、第２の導電部材と第３の導電部材との間隔の割合が、９０〜１１０％、好ましくは９５〜１０５％の範囲にあることを意味する。これらの間隔を略同一にするためには、第１の絶縁層２０と第３の絶縁層２２とを、それぞれの厚さが略同一になるように形成するとよい。ここで、厚さが略同一とは、上記程度の範囲内に厚さが揃っていることをいう。
【００２８】
基板３は、第３の導電部材２ｃの背面上であって第３の導電部材２ｃの一方の端部（図１において左側の端部）近傍に、絶縁層２３を介して配置されている。基板３には、Ｘ電極駆動回路が形成されている。Ｘ電極駆動回路は、前面パネル１におけるＸ電極に駆動パルス波形を印加する。基板４は、第３の導電部材２ｃの背面上であって第３の導電部材２ｃの他方の端部（図１において右側の端部）近傍に、絶縁層２４を介して配置されている。基板４には、Ｙ電極駆動回路が形成されている。Ｙ電極駆動回路は、Ｙ電極に駆動パルス波形を印加する。フレキシブル配線基板５は、Ｘ電極駆動回路の駆動部とＸ電極とを接続する。フレキシブル配線基板５の一端は、前面パネル１における一方の端部（図１において左側の端部）近傍においてＸ電極に接続されている。フレキシブル配線基板６は、Ｙ電極駆動回路基板４の駆動部とＹ電極とを接続する。フレキシブル配線基板６の一端は、前面パネル１における他方の端部（図１において右側の端部）近傍においてＹ電極に接続されている。ここで、プラズマディスプレイパネルの「端部近傍」とは、当該パネルの端部からの幅方向の距離が、当該パネルの幅の０〜２０％、好ましくは０〜１０％、特に好ましくは０〜５％の範囲にある領域を意味する。
【００２９】
接続部材は、ビスに代表される導電性の部材を使用できる。接続部材７ａは、第１の導電部材２ａにおける一方の端部（図１において左側の端部）近傍と第３の導電部材２ｃにおける一方の端部（図１において左側の端部）近傍とを電気的に接続している。接続部材７ａは、第２の導電部材２ｂと電気的に接触していない状態にある。こうした状態は、例えば、図１に示すように、第２の導電部材２ｂにおける一方の端部の近傍に貫通孔３０ａを形成し、当該貫通孔内に接続部材７ａを配置することにより実現できる。貫通孔の壁面と接続部材との間には絶縁物を配置してもよい。導電部材における電流分布を均一にする観点からは、同様の接続部材７ａを、表示装置の高さ方向（図５における上下方向）に等間隔に複数個形成することが好ましい。
【００３０】
接続部材７ｂは、Ｘ電極駆動回路のグラウンドと第２の導電部材２ｂにおける一方の端部（図１において左側の端部）近傍とを接続している。接続部材７ｃは、Ｙ電極駆動回路のグラウンドと第１の導電部材２ａにおける他方の端部（図１において右側の端部）近傍とを接続している。接続部材７ｄは、第２の導電部材２ｂの背面上に配置され、第２の導電部材２ｂにおける他方の端部（図１において右側の端部）近傍と第３の導電部材２ｃにおける他方の端部（図１において右側の端部）近傍とを接続している。接続部材７ｂ、７ｃ、７ｄも、表示装置の高さ方向に等間隔に複数個形成することが好ましい。ここで、導電部材の「端部近傍」とは、当該部材の端部からの幅方向の距離が、当該部材の幅の０〜２０％、好ましくは０〜１０％、特に好ましくは０〜５％の範囲にある領域を意味する。
【００３１】
接続部材７ｂは、第３の導電部材２ｃと電気的に接触していない状態にある。こうした状態は、例えば、図１に示すように、第３の導電部材２ｃにおける一方の端部近傍に貫通孔３０ｂを形成し、当該貫通孔内に接続部材７ｂを配置することにより実現できる。接続部材７ｃは、第２〜第３の導電部材２ｂ、２ｃと電気的に接触していない状態にある。こうした状態は、例えば、図１に示すように、第２の導電部材２ｂの他方の端部近傍に貫通孔３０ｃを形成し、第３の導電部材２ｃにおける他方の端部近傍に貫通孔３０ｃに連通するように貫通孔３０ｄを形成し、当該貫通孔３０ｃおよび３０ｄの内部に接続部材７ｃを配置することにより実現できる。貫通孔の壁面と接続部材との間には絶縁物を配置してもよい。
【００３２】
上記に説明したように、本発明によるプラズマディスプレイパネル表示装置は、導電体Ａ、導電体Ｂ、導電体Ｃおよび導電体Ｄを有し、第１の駆動回路が、第３の導電部材の背面上であって第３の導電部材の一方の端部近傍に配置され、第２の駆動回路が、第３の導電部材の背面上であって第３の導電部材の他方の端部近傍に配置され、第２の導電部材が、一方の端部近傍に形成された貫通孔Ａ１と、他方の端部近傍に形成された貫通孔Ａ２とを有し、第３の導電部材が、一方の端部近傍に形成された貫通孔Ｂ１と、他方の端部近傍に形成され貫通孔Ａ２に連通する貫通孔Ｂ２とを有し、導電体Ａが、貫通孔Ａ１内に配置されて、第１の導電部材の一方の端部近傍および第３の導電部材の一方の端部近傍を電気的に接続し、導電体Ｂが、貫通孔Ｂ１内に配置されて、第２の導電部材の一方の端部近傍および第１の駆動回路を電気的に接続し、導電体Ｃが、貫通孔Ａ２およびＢ２内に配置されて、第１の導電部材の他方の端部近傍および第２の駆動回路を電気的に接続し、導電体Ｄが、第２の導電部材の背面上に配置されて、第２の導電部材の他方の端部近傍および第３の導電部材の他方の端部近傍を電気的に接続した状態にあってよい。こうして、表示装置の内部に配置した導電体を用いて、プラズマディスプレイパネルおよび各導電部材におけるそれぞれの間を電気的に接続することによって、表示装置の外部を経由する配線が複雑化することを防止できる。
【００３３】
次に、前面パネルの駆動放電（維持放電期間）中の電流の経路について説明する。前面パネルを駆動する方法については従来例と同様であるので説明を省略する。
【００３４】
Ｘ電極にＹ電極よりも高い電圧（駆動電圧）を印加すると、Ｘ駆動回路の電源から、Ｘ電極、画素内の雰囲気、Ｙ電極、Ｙ電極駆動回路のグラウンド、第１の導電部材２ａ、第３の導電部材２ｃ、第２の導電部材２ｂおよびＸ電極駆動回路のグラウンドへと、電流がこの順で流れる。このとき、図１において矢印で示すように、前面パネル１において、一方の端部近傍から他方の端部近傍へと（図１における右方向に）電流が流れ、第１の導電部材２ａにおいて、他方の端部近傍から一方の端部近傍へと（図１における左方向に）電流が流れ、第２の導電部材２ｂにおいて、他方の端部近傍から一方の端部近傍へと（図１における左方向に）電流が流れ、第３の導電部材２ｃにおいて、一方の端部近傍から他方の端部近傍へと（図１における右方向に）電流が流れる。ここでそれぞれの部材および前面パネルに流れる電流量は同一である。
【００３５】
上記のとおり、前面パネル１と、第１〜第３の導電部材２ａ、２ｂ、２ｃとは、略同一の幅および高さを有しており、前面パネルの駆動放電時において、それぞれにおいて流れる電流量は同一である。このため、前面パネルの駆動放電時において、前面パネル１、第１〜第３の導電部材２ａ、２ｂ、２ｃのそれぞれに流れる電流の大きさおよび電流分布（幅および高さ）を容易に一致させることができる。この結果、前面パネル１と第１の導電部材２ａとの間に発生する第１の磁界成分と、第２の導電部材２ｂと第３の導電部材２ｃとの間に当該第１の磁界成分と逆向きに発生する第２の磁界成分とにおける、それぞれの基点および終点の高さを揃えると共に磁界の強さおよび幅を略一致させることができ、第１の磁界成分と第２の磁界成分とを十分に相殺させることができる。これにより、表示装置における不要輻射が低減する。前面パネル１と第１の導電部材２ａとの間隔と、第２の導電部材２ｂと第３の導電部材２ｃとの間隔とを略同一にすると、第１の磁界成分の強さと第２の磁界成分の強さとをより確実に一致させることができ、表示装置における不要輻射を一層低減できる。
【００３６】
Ｙ電極にＸ電極よりも高い電圧（駆動電圧）を印加する場合も、前面パネル１、第１〜第３の導電部材２ａ、２ｂ、２ｃのそれぞれにおいて、Ｘ電極に駆動電圧を印加した場合と逆方向の電流が流れるものの、上記の理由から、第１の磁界成分と第２の磁界成分とにおける、それぞれの基点および終点の高さを揃えると共に磁界の強さおよび幅を略一致させることができるため、不要輻射が低減する。
【００３７】
接続部材としては、ビス状の導電体に代えて、帯状の導電体を使用しても構わない。なお、図５に示したフレキシブル配線基板と各接続部材７ａ、７ｂ、７ｃ、７ｄによる電気的接続は、それぞれ複数の部材を導電部材２ａ、２ｂ、２ｃ、２ｄの高さ方向に配列して行うとよい。
【００３８】
次に、図３を参照しながら、本発明によるプラズマディスプレイパネル表示装置の実施形態の別例（実施の形態２）を説明する。
【００３９】
図３は、本発明によるプラズマディスプレイパネル表示装置の別例の横断面図である。本発明の実施の形態２による表示装置３００は、接続部材による接続形態が異なること以外は、実施の形態１による表示装置２００と同様の構造を有する。表示装置３００は、図３に示すように、第２の導電部材２ｂの左端部近傍と第３の導電部材２ｃの左端部近傍とが、接続部材７ｅによって電気的に接続され、Ｘ電極駆動回路のグラウンドと第１の導電部材２ａの左端部近傍とが、接続部材７ｆによって電気的に接続され、Ｙ電極駆動回路のグラウンドと第２の導電部材２ｂの右端部近傍とが、接続部材７ｇによって電気的に接続され、第１の導電部材２ａの右端部近傍と第３の導電部材２ｃの右端部近傍とが、接続部材７ｈによって電気的に接続された状態にある。
【００４０】
接続部材７ｅは、第２の導電部材２ｂの背面上に配置されている。接続部材７ｆは、第２の導電部材２ｂの左端部近傍に形成された貫通孔４０ａと、第３の導電部材２ｃの左端部近傍に貫通孔４０ａに連通するように形成された貫通孔４０ｂと、の内部に配置されている。接続部材７ｇは、第３の導電部材２ｃの右端部近傍に形成された貫通孔４０ｄ内に配置されている。接続部材７ｈは、第２の導電部材２ｂの右端部近傍に形成された貫通孔４０ｃ内に配置されている。
【００４１】
表示装置３００においても、Ｘ電極に駆動電圧を印加すると、表示装置２００と同様に、前面パネル１、第１〜第３の導電部材２ａ、２ｂ、２ｃのそれぞれにおいて、図３において矢印で示す方向に、大きさおよび分布が略一致した電流が流れる。また、Ｙ電極に駆動電圧を印加すると、表示装置２００と同様に、Ｘ電極に駆動電圧を印加した場合と逆方向の電流が流れるものの、やはり、大きさおよび分布が略一致した電流が流れる。したがって、表示装置３００においても、前面パネルの駆動放電時において、第１の磁界成分と第２の磁界成分とを十分に相殺させることができる。
【産業上の利用可能性】
【００４２】
本発明は、プラズマディスプレイパネル表示装置における不要輻射の低減に適用できる。
【図面の簡単な説明】
【００４３】
【図１】本発明によるプラズマディスプレイパネル表示装置の一例の横断面図である。
【図２】前面パネルにおける放電電極の配置を示す概念図である。
【図３】本発明によるプラズマディスプレイパネル表示装置の別例の横断面図である。
【図４】従来のプラズマディスプレイパネル表示装置の一例の横断面図である。
【図５】本発明によるプラズマディスプレイパネル表示装置の斜視図である。
【図６】従来のプラズマディスプレイパネル表示装置の別例の斜視図である。
【図７】従来のプラズマディスプレイパネル表示装置のさらに別例の回路図である。
【図８】従来のプラズマディスプレイパネル表示装置のさらに別例の横断面図である。
【符号の説明】
【００４４】
１  プラズマディスプレイパネル（前面パネル）
２ａ、２ｂ、２ｃ  導電部材（アルミシャーシ）
３  Ｘ電極駆動回路が形成された基板
４  Ｙ電極駆動回路が形成された基板
５、６  フレキシブル配線基板
７ａ、７ｂ、７ｃ、７ｄ、７ｅ、７ｆ、７ｇ、７ｈ  導電体（接続部材）
８  維持放電電極（Ｘ電極）
９  維持・走査放電電極（Ｙ電極）
１０  アドレス電極
２０、２１、２２、２３、２４  絶縁層
３０ａ、３０ｂ、３０ｃ、３０ｄ、４０ａ、４０ｂ、４０ｃ、４０ｄ  貫通孔
２００、３００  プラズマディスプレイパネル表示装置
【図１】
2009139461.tif 000003
【図２】
2009139461.tif 000004
【図３】
2009139461.tif 000005
【図４】
2009139461.tif 000006
【図５】
2009139461.tif 000007
【図６】
2009139461.tif 000008
【図７】
2009139461.tif 000009
【図８】
2009139461.tif 000010